(57)【特許請求の範囲】
【請求項１】
マトリクス状に配置されるＬＥＤ、ＬＥＤを駆動するための複数の点灯データラインおよび複数の走査ラインからなり、各点灯データラインが行方向又は列方向のいずれかに直線的にＬＥＤを接続するとともに、各走査ラインは少なくとも２本の走査ラインどうしが千鳥状に交差するようにして点灯データラインとは異なる列方向又は行方向のいずれかにＬＥＤを接続するようにしたディスプレイ本体と、
複数の点灯データ出力端子を有し、各点灯データ出力端子に接続された各点灯データラインにそれぞれ点灯データを送る点灯データドライブ回路と、
複数の走査出力端子を有し、各走査出力端子に接続された各走査ラインを順次走査する走査側ドライブ回路とを備えたことを特徴とするＬＥＤディスプレイ装置。
【請求項２】
マトリクス状に配置されるＬＥＤ、ＬＥＤを駆動するための複数の点灯データラインおよび複数の走査ラインからなり、各走査ラインが行方向又は列方向のいずれかに直線的にＬＥＤを接続するとともに、各点灯データラインは少なくとも２本の点灯データラインどうしが千鳥状に交差するようにして走査ラインとは異なる列方向又は行方向のいずれかにＬＥＤを接続するようにしたディスプレイ本体と、
複数の点灯データ出力端子を有し、各点灯データ出力端子に接続された各点灯データラインにそれぞれ点灯データを送る点灯データドライブ回路と、
複数の走査出力端子を有し、各走査出力端子に接続された各走査ラインを順次走査する走査側ドライブ回路とを備えたことを特徴とするＬＥＤディスプレイ装置。
【請求項３】
マトリクス状に配置されるＬＥＤ、ＬＥＤを駆動するための複数の点灯データラインおよび複数の走査ラインからなり、各走査ラインは少なくとも２本の走査ラインどうしが千鳥状に交差するようにして行方向又は列方向のいずれかにＬＥＤを接続するようにするとともに、各点灯データラインは少なくとも２本の点灯データラインどうしが千鳥状に交差するようにして走査ラインとは異なる列方向又は行方向のいずれかにＬＥＤを接続するようにしたディスプレイ本体と、
複数の点灯データ出力端子を有し、各点灯データ出力端子に接続された各点灯データラインにそれぞれ点灯データを送る点灯データドライブ回路と、
複数の走査出力端子を有し、各走査出力端子に接続された各走査ラインを順次走査する走査側ドライブ回路とを備えたことを特徴とするＬＥＤディスプレイ装置。
【請求項４】
２色以上のＬＥＤが各色ごとにマトリクス状に配置され、各色ＬＥＤを共通に接続する複数の走査ライン、各色ＬＥＤを独立に接続する複数の点灯データラインが設けられ、各走査ラインは少なくとも２本の走査ラインどうしが千鳥状に交差するようにして行方向又は列方向のいずれかにＬＥＤを接続するとともに、各点灯データラインが走査ラインの方向とは異なる列方向又は行方向のいずれかに直線的に同色ＬＥＤどうしを接続するようにしたディスプレイ本体と、
複数の点灯データ出力端子を有し、各点灯データ出力端子に接続された各点灯データラインにそれぞれ点灯データを送るための各色ごとに独立して設けられる複数の点灯データドライブ回路と、
複数の走査出力端子を有し、各走査出力端子に接続された各走査ラインを順次走査する走査側ドライブ回路とを備えたことを特徴とするＬＥＤディスプレイ装置。
【請求項５】
走査ラインは一端側が走査側ドライブ回路の走査出力端子に接続されるとともにＬＥＤを挟んだ他端側に走査が正常であるかを検出するための検出回路が接続されることを特徴とする請求項１から請求項４のいずれかに記載のＬＥＤディスプレイ装置。
【請求項６】
マトリクス状に配置されるＬＥＤ、ＬＥＤを駆動するための複数の点灯データラインおよび複数の走査ラインからなり、各点灯データラインが行方向又は列方向のいずれかに直線的にＬＥＤを接続するとともに、各走査ラインは少なくとも２本の走査ラインどうしが千鳥状に交差するようにして点灯データラインとは異なる列方向又は行方向のいずれかにＬＥＤを接続するようにしたディスプレイ本体と、
複数の点灯データ出力端子を有し、各点灯データ出力端子に接続された各点灯データラインにそれぞれ点灯データを送る点灯データ側ドライブ回路と、
複数の走査出力端子を有し、各走査出力端子に接続された各走査ラインを順次走査する走査側ドライブ回路と、
走査の順に関するアドレス情報を受けこれに基づいて走査側ドライブ回路の走査出力端子を順次走査するための信号を走査側ドライブ回路に送るデコーダと、
各走査ラインが接続されるエンコーダと、
デコーダに入力されるアドレス情報とエンコーダからの出力情報とを比較するコンパレータとを備えたことを特徴とするＬＥＤディスプレイ装置。
【発明の詳細な説明】
【０００１】
【発明の属する技術分野】
本発明は文字情報やグラフィック情報などを表示するＬＥＤディスプレイ装置（発光ダイオードディスプレイ装置）に関し、さらに詳細には道路情報板などの情報を伝達するのに適したＬＥＤディスプレイ装置に関する。
【０００２】
【従来の技術】
ＬＥＤディスプレイ装置が情報表示板等に利用されている。ＬＥＤディスプレイ装置は複数のＬＥＤを縦横に並べて配置することによりいわゆるドットマトリクスを形成し、例えばトランジスタ等からなるダイナミック駆動回路を用いて一部のＬＥＤを点灯させることにより文字や図形を表現するようにしている。
【０００３】
従来から知られているダイナミック駆動方式のＬＥＤディスプレイ装置を図７、図８により説明する。
ＬＥＤが縦横に整然と並べられたマトリクス状（例えばｎ行×ｎ列）のディスプレイ本体は、図８に見られるように各列ライン（Ｘライン５２と呼び、それぞれのラインをＸ1、Ｘ2、・・・、Ｘnとする）と各行ライン（Ｙライン５４と呼び、それぞれのラインをＹ1、Ｙ2、・・・、Ｙnとする）との間に挟まれるようにしてＬＥＤ（Ｌ11、Ｌ12、・・・Ｌ1n、Ｌ21、Ｌ22、・・・Ｌn1、Ｌn2、・・・Ｌnn）がマトリックス状に接続されている。即ち、Ｙ1ラインに沿ってＸ1ラインからＸnラインまで順にＬ11、Ｌ12、・・・Ｌ1nのｎ個のＬＥＤが接続され、Ｙ2ラインに沿ってＬ21、Ｌ22、・・・Ｌn1のＬＥＤが接続され、Ｙnラインに沿ってＬn1、Ｌn2、・・・ＬnnのＬＥＤが接続されている。
【０００４】
そしてＸライン５４とＹライン５２のうちいずれか一方側は点灯データを送り出す点灯データドライブ回路の出力端子に接続され、ここから各ＬＥＤに点灯データが送り込まれるようになっている。他方側は走査側ドライブ回路の出力端子に接続され、１ラインずつ順次走査されるようにしてある。
【０００５】
図７は図８に示したＬＥＤディスプレイ装置を駆動するための駆動回路の構成ブロック図である。この図のものでは列（Ｘライン５２）が点灯データ入力側のラインであり、行（Ｙライン５４）が走査側ライン（コモンラインと呼ばれる）である。図においてディスプレイ本体６０には各ＬＥＤ（Ｌ11〜Ｌnn）がマトリクス状に並んでおり、各列はそれぞれ対応するＸ1ラインからＸnラインにより直線的に接続され、各行がそれぞれ対応するＹ1ラインからＹnラインにより直線的に接続されている。
【０００６】
そしてＸ1ラインからＸnラインまでの各ラインは点灯データドライブ回路（Ｘラインドライブ回路）６２の出力端子（ａ1、ａ2、・・・、ａn）に接続される。この点灯データドライブ回路６２にはディスプレイに表示しようとする文字等の点灯データが入力される。点灯データドライブ回路６２にはシフトレジスタ、ラッチ、輝度調整回路が含まれており、信号線を介して送られてくる点灯データを図示しないクロックパルスでタイミングを取りながらシフトレジスタに入力し、Ｘ1からＸnまでの各ラインのデータ（走査ライン１行分のデータ）を所定時間ラッチさせ、次のタイミングでデータをシフトし、順次新しい点灯データ（次の走査ライン１行分のデータ）をシフトレジスタに入力する。そして一画面を作成するのに必要な点灯データをシフトレジスタ内に蓄積する。
【０００７】
一方、Ｙ1ラインからＹnラインまでの各ラインは走査側ドライブ回路（Ｙラインドライブ回路）６４の出力端子（ｂ1、ｂ2、・・・、ｂn）に接続されており、さらにこの走査側ドライブ回路６４の入力側はデコーダ６６に接続されている。
デコーダ６６にはアドレス線（Ａ0、Ａ1、Ａ2、Ａ3）からのアドレス信号が入力される。アドレス線から送られるアドレス信号値は歩進するようになっており、アドレス信号値がデコーダ６６に入力されるとデコーダ６６からの出力が走査側ドライブ回路６４に入力され、まずＹ1ラインがオンとなり、図示しないクロックパルスにより所定時間をカウントして時間が経過すると、Ｙ1ラインがオフとなって代わりにＹ2ラインがオンとなり、以下同様の動作を繰り返してＹnラインまでくると再びＹ1ラインがオンとなって同じ動作が繰り返される。これにより行ライン（Ｙライン）の走査が行われる。
【０００８】
したがって、点灯データドライブ回路（Ｘラインドライブ回路）６２におけるデータシフトのタイミングと走査側ドライブ回路（Ｙラインドライブ回路）６４による走査のタイミングとを同期させることにより１画面全体の表示を行うことができる。走査は１秒間に２５０回程度繰り返されるようにすることで、ちらつきのない表示画面が実現できる。
【０００９】
【発明が解決しようとする課題】
上述したようなダイナミック駆動方式のＬＥＤディスプレイ装置では、走査ライン（コモンライン）のひとつ、例えばＹiラインが故障すると当該Ｙiラインに接続された１行すべてのＬＥＤが点灯しなくなる。
【００１０】
道路情報板等において用いられるＬＥＤディスプレイ装置は、昼夜を問わず、また天候に関わらず連続的に使用される場合も多く、故障を完全に防ぐことは困難である。
そのため故障が生じることは仕方がないが、たとえ故障したとしても故障によって文字等で表示される情報内容が全く理解できないものとなることを最も避けるべきである。
【００１１】
そこで、本発明は万が一、ディスプレイ本体のドライブ回路やラインが故障して不灯ドット（不灯状態となるＬＥＤ）が発生したとしても残りの点灯可能なドットから表示しようとする文字等の情報内容が類推できるようにしたＬＥＤディスプレイ装置を提供することを目的とする。
【００１２】
また、ライン等が故障した場合に、故障したことを知らせて不具合処理を促すことができるＬＥＤディスプレイ装置を提供することを目的とする。
【００１３】
【課題を解決するための手段】
上記課題を解決するためになされた本発明のＬＥＤディスプレイ装置は、（ａ）マトリクス状に配置されるＬＥＤ、ＬＥＤを駆動するための複数の点灯データラインおよび複数の走査ラインからなり、各点灯データラインが行方向又は列方向のいずれかに直線的にＬＥＤを接続するとともに、各走査ラインは少なくとも２本の走査ラインどうしが千鳥状に交差するようにして点灯データラインとは異なる列方向又は行方向のいずれかにＬＥＤを接続するようにしたディスプレイ本体と、（ｂ）複数の点灯データ出力端子を有し、各点灯データ出力端子に接続された各点灯データラインにそれぞれ点灯データを送る点灯データドライブ回路と、（ｃ）複数の走査出力端子を有し、各走査出力端子に接続された各走査ラインを順次走査する走査側ドライブ回路とを備えている。
【００１４】
この発明によれば、ディスプレイ本体は、ＬＥＤがマトリクス状に配置される。ディスプレイ本体に配置される各ＬＥＤは、点灯データラインと走査ラインとに挟まれるように接続される。点灯データラインと走査ラインとはそれぞれ複数本用意されている。
【００１５】
そして、各点灯データラインはマトリクスの行方向又は列方向のいずれか１つの方向に直線的にＬＥＤを接続する。各走査ラインは少なくとも２本の走査ラインどうしが千鳥状に交差するようにして点灯データラインとは異なる列方向又は行方向のいずれかにＬＥＤを接続する。
【００１６】
点灯データドライブ回路は、点灯データ出力端子を有しており、各点灯データラインは点灯データ出力端子に１本ずつ接続するようにしてあり、点灯データドライブ回路を駆動すると、点灯データ出力端子に接続された点灯データラインに点灯データが送られる。
各点灯データラインにはそれぞれ直線的に並んだＬＥＤが接続してあるので、各ラインの点灯データは直線的に並んだＬＥＤに送られる。
【００１７】
一方、走査側ドライブ回路は、走査出力端子を有しており、各走査ラインは走査出力端子に１本ずつ接続するようにしてあり、走査側ドライブ回路を駆動すると走査出力端子に接続された走査ラインが順次走査される。
走査ラインは直線的にＬＥＤを接続するのではなく、少なくとも２本のラインどうしが組になって互いに千鳥状にＬＥＤを接続するようにしてある。
【００１８】
ＬＥＤディスプレイへの情報表示は、点灯データラインと走査ラインとを一定のタイミングで同期させながら駆動することにより行われる。即ち、点灯データライン側は、所定タイミングごとに点灯すべき点灯データラインにはオン信号を送り、消灯すべき点灯データラインにはオフ信号を送る（具体的にはオンとなる点灯データラインが導通可能状態となりオフとなるＬＥＤへの点灯データラインが開放状態となる）。走査ライン側は、点灯データラインのタイミングに同期して各走査ラインが順次導通状態となるように走査される。
これにより、画面全体のＬＥＤが点灯データに基づいて所望の文字等を描くようにＬＥＤを表示させることができる。
【００１９】
ここで、走査ラインのいずれか１本が故障した場合に、走査ラインは少なくとも２本の走査ラインどうしで千鳥状にＬＥＤを接続するようにしているので、故障により、一行又は一列のＬＥＤすべてが不灯になることがなくなる。即ち、千鳥接続の組を構成する他方の走査ラインに接続された一部のＬＥＤが点灯することになる。このときの表示を見た者は故障により直線の一部が不灯状態になっていると解釈して本来なら直線状に点灯しているものとして文字等を類推することができる。
【００２０】
走査ラインがＬＥＤを直線的に接続するとともに、少なくとも２本の点灯データラインどうしが千鳥状に交差するようにしてＬＥＤを接続してもよい。また、少なくとも２本の点灯データラインどうしが千鳥状に交差するようにしてＬＥＤを接続するとともに、少なくとも２本の走査ラインどうしが千鳥状に交差するようにしてＬＥＤを接続するようにしてもよい。
いずれの場合も故障したラインと千鳥接続の組を構成する他方のラインに接続された一部のＬＥＤが点灯することになり、上述したものと同様の効果を得ることができる。
なお、千鳥接続は２ラインで構成してもよいし、３ライン以上で構成してもよい。
【００２１】
また、（ａ）２色以上のＬＥＤが各色ごと行方向又は列方向に直線的に並ぶようにしてマトリクス状に配置され、各色ＬＥＤを共通に接続する複数の走査ライン、各色ＬＥＤを独立に接続する複数の点灯データラインが設けられ、各走査ラインは少なくとも２本の走査ラインどうしが千鳥状に交差するようにして行方向又は列方向のいずれかにＬＥＤを接続するとともに、各点灯データラインが走査ラインの方向とは異なる列方向又は行方向のいずれかに直線的に同色ＬＥＤを接続するようにしたディスプレイ本体と、（ｂ）複数の点灯データ出力端子を有し、各点灯データ出力端子に接続された各点灯データラインにそれぞれ点灯データを送るための各色ごとに独立して設けられる複数の点灯データドライブ回路と、（ｃ）複数の走査出力端子を有し、各走査出力端子に接続された各走査ラインを順次走査する走査側ドライブ回路とを備えてもよい。
【００２２】
走査ラインは一端側を走査側ドライブ回路の走査出力端子に接続されるとともにＬＥＤを挟んだ他端側に走査が正常であるかを検出するための検出回路を接続するようにしてもよい。
【００２３】
特に、マトリクス状に配置されるＬＥＤ、ＬＥＤを駆動するための複数の点灯データラインおよび複数の走査ラインからなり、各点灯データラインが行方向又は列方向のいずれかに直線的にＬＥＤを接続するとともに、各走査ラインは少なくとも２本の走査ラインどうしが千鳥状に交差するようにして点灯データラインとは異なる列方向又は行方向のいずれかにＬＥＤを接続するようにしたディスプレイ本体と、点灯データライン数と同数の点灯データ出力端子を有し、各点灯データ出力端子に接続された各点灯データラインにそれぞれ点灯データを送る点灯データ側ドライブ回路と、走査ライン数と同数の走査出力端子を有し、各走査出力端子に接続された各走査ラインを順次走査する走査側ドライブ回路と、走査の順に関するアドレス情報を受けこれに基づいて走査側ドライブ回路の走査出力端子を順次走査するための信号を走査側ドライブ回路に送るデコーダと、各走査ライン端に接続されるエンコーダと、デコーダに入力されるアドレス情報とエンコーダからの出力情報とを比較するコンパレータとを備えるようにしてもよい。
【００２４】
これによればエンコーダから出力されるデータは、デコーダとエンコーダとを通過することになり、デコーダに入力される元のデータと同じに復元される。
両者をコンパレータで比較することにより、両者が同じと判断されれば走査が正常に行われたと判断することができる。もし同じと判断されなければいずれかのラインに断線等の異常があると考えられる。したがってコンパレータの出力から故障の有無を判断できる。
【００２５】
【発明の実施の形態】
以下、本発明について図面を用いて説明する。図１は本発明の一実施例であるＬＥＤディスプレイ装置の構成を示す回路ブロック図である。
このＬＥＤディスプレイ装置は、ディスプレイ本体１０、点灯データドライブ回路（Ｘラインドライブ回路）１２、走査側ドライブ回路（Ｙラインドライブ回路）１４、デコーダ１６、エンコーダ１８、コンパレータ２０とから構成される。
【００２６】
ディスプレイ本体１０は、ＬＥＤがマトリクス状（例えばｎ行×ｎ列）に整然と並べられている。
即ち、マトリクスの第1行目には左からＬＥＤ（Ｌ11、Ｌ12、・・・Ｌ1n）が順に並び、続く第２行目には左からＬＥＤ（Ｌ21、Ｌ22、・・・Ｌ2n）が並び、以下同様にして最下行のｎ行目には左からＬＥＤ（Ｌn1、Ｌn2、・・・Ｌnn）が並んでいる。
【００２７】
そしてディスプレイ本体１０上の各ＬＥＤには、点灯データを送るための点灯データラインと走査するための走査ラインとがそれぞれ接続される。
【００２８】
このうち点灯データライン２には、ＬＥＤが列方向に直線的に接続される。ディスプレイ本体１０にはｎ本のＬＥＤ列が形成されているため、ｎ本の点灯データライン（Ｘ1、Ｘ2、・・・・、Ｘn）が平行に配置されることになる。図のものでは最も左の列であるＸ1のラインには、ＬＥＤ（Ｌ11、Ｌ21、・・・、Ｌn1）が接続され、左から２列目であるＸ2のラインはＬＥＤ（Ｌ12、Ｌ22、・・・、Ｌn2）が接続され、最も右の列であるＸnのラインにはＬＥＤ（Ｌ1n、Ｌ2n、・・・、Ｌnn）が接続される。
【００２９】
一方、走査ライン４は行方向に向けて千鳥状に交差するようにＬＥＤが接続される。即ち、図に見られるように２本の走査ラインＹ1、Ｙ2が互いに組をなし、Ｙ1ラインがＬＥＤ（Ｌ11、Ｌ22、Ｌ13、Ｌ24、・・・、Ｌ2n）に接続され、Ｙ2ラインがＬＥＤ（Ｌ21、Ｌ12、Ｌ23、Ｌ14、・・・、Ｌ1n）に接続される。Ｙ3ラインからＹnラインまでについても同様に２本のラインが千鳥状に交差するようにＬＥＤが接続される。
なお、本実施例では２本ずつ千鳥配置の組をなすようにしているが、３本以上で千鳥配置するようにしてもよい。
【００３０】
点灯データドライブ回路（Ｘラインドライブ回路）１２は、ディスプレイに表示しようとする文字等の点灯データをＸ1ラインからＸnラインに送るための駆動回路である。
点灯データドライブ回路１２は、接続されるディスプレイ本体１０の点灯データライン数と同数の出力端子が設けられている。本実施例では点灯データラインがｎ本あるので、点灯データドライブ回路（Ｘラインドライブ回路）１２にはｎ個の出力端子（ａ1、ａ2、・・・、ａn）が形成される。点灯データドライブ回路１２にはデータ線を介して送られてきた点灯データが入力される。
【００３１】
点灯データドライブ回路１２にはシフトレジスタ、ラッチ、輝度調整回路が含まれており、データ線を介して送られてくる点灯データを図示しないクロックパルスでタイミングを取りながらシフトレジスタに送り、Ｘ1からＸnまでの各ラインの点灯データ（走査ライン１本分のデータ）を所定時間ラッチさせ、次のタイミングでデータをシフトして新しい点灯データ（次の走査ライン１本分のデータ）を取りこみ、以下同様の動作を繰り返す。
【００３２】
走査側ドライブ回路（Ｙラインドライブ回路）１４は、ディスプレイ本体１０の各走査ラインであるＹ1ラインからＹnラインを順次走査するための駆動回路である。
走査側ドライブ回路１４には、接続されるディスプレイ本体１０の走査ライン数と同数の出力端子が設けられている。本実施例では走査ラインがｎ本あるので、走査側ドライブ回路（Ｙラインドライブ回路）１４にはｎ個の出力端子（ｂ1、ｂ2、・・・、ｂn）が形成される。
【００３３】
そして、ディスプレイ本体１０のＹ1ラインからＹnラインまでの各ラインは走査側ドライブ回路１４の出力端子（ｂ1、ｂ2、・・・、ｂn）に１つずつ接続される。本実施例ではｂ1にＹ1ライン、ｂ2にＹ2ライン、・・・、ｂnにＹnラインが接続される。
また、走査側ドライブ回路１４はデコーダ１６から順次走査ラインを制御するための信号を受ける。
【００３４】
デコーダ１６は走査側ドライブ回路１４の出力端子（ｂ1、ｂ2、・・・、ｂn）の各出力端子に対応する出力端子（ｃ1、ｃ2、・・・、ｃn）を具備しており、アドレス線（Ａ0、Ａ1、Ａ2、Ａ3）からアドレスデータを受けて、走査側ドライブ回路１４に出力端子（ｂ1、ｂ2、・・・、ｂn）が順次走査されるように制御信号を送る。即ち、アドレス線からデコーダ１６に送られるアドレスデータは歩進するようにしてあり、このアドレスデータがデコーダ１６に入力されるとデコーダ１６の出力端子（ｃ1、ｃ2、・・・、ｃn）がこの順で順次オンとなり、オン信号が走査側ドライブ回路１４に入力され、まずＹ1ラインがオンとなり、図示しないクロックパルスによって計数された所定時間が経過すると、Ｙ1ラインがオフとなって代わりにＹ2ラインがオンとなり、以下同様の動作を繰り返してＹnラインまでくると再びＹ1ラインがオンとなって同じ動作が繰り返される。これにより走査ライン（Ｙライン）が順次走査されることになる。
【００３５】
したがって、点灯データドライブ回路（Ｘラインドライブ回路）１２におけるデータシフトのタイミングと走査側ドライブ回路（Ｙラインドライブ回路）１４による走査のタイミングとを同期させながら駆動するようにして１画面全体の表示を行う。この走査を１秒間に２５０回程度繰り返すことにより、ちらつきのない表示を行うようにする。
【００３６】
エンコーダ１８は、各走査ラインに接続される。本実施例では、最も右のＬＥＤ列（Ｌ1n、Ｌ2n、Ｌ3n、Ｌ4n、・・・、Ｌnn）側の走査ライン端（走査側ドライブ回路１４が接続される側と反対側）にて接続される。
このエンコーダ１８には、デコーダ１６の出力端子（ｃ1、ｃ2、・・・、ｃn）と同数の入力端子（ｄ1、ｄ2、・・・、ｄn）が設けられている。
そして、デコーダ１６のｃ1端子がオンとなったときにエンコーダ１８のｄ1端子に入力信号が入り、ｃ2がオンのときｄ2に入力信号が入り、ｃnがオンのときｄnに入力信号が入るように走査ライン端とエンコーダ１８とを接続する。これによりエンコーダ１８の出力データとデコーダ１６の入力データとが同一になるようにする。
【００３７】
コンパレータ２０は、エンコーダ１８の出力データとデコーダ１６の入力データであるアドレス信号値とを並行して入力するようにして、両者が比較できるように接続する。また、コンパレータ２０の出力は異常を知らせるための図示しない周知のアラーム機構等に接続する。
【００３８】
次に、上記ディスプレイ装置による表示状態について説明する。
図３〜図５はＬＥＤディスプレイ装置による表示状態を説明する図であり、このうち図３は正常なときの表示状態を示す図、図４は比較のため図７に示した従来からのＬＥＤディスプレイ装置で走査ラインが故障したときの表示状態を示す図、図５は図１に示したＬＥＤディスプレイ装置で走査ラインが故障したときの表示状態を示す図である。なお、ここでは行数と列数とがともにｎ＝８、即ち８行×８列のＬＥＤディスプレイ装置を例にしてある。
【００３９】
「Ｅ」のアルファベット文字を表示したときを例に説明する。図３に見られるように、点灯データラインと走査ラインとがすべて正常なときは「Ｅ」の文字が鮮明に表示されている。
【００４０】
今、図１、図７のＬＥＤディスプレイ装置においてＹ8ラインが故障したとする。
図７のＬＥＤディスプレイ装置では走査ラインのひとつであるＹ8ラインは行方向に直線的にＬＥＤを接続しているので、図４に見られるように最下行（第８行目）にあるＬＥＤがすべて点灯しなくなる。「Ｅ」をはじめ文字等は縦横の直線的要素の組み合わせで構成されたものが多いためにたまたま故障した走査ラインに沿って文字を構成する直線要素が含まれている場合には、その文字自体の形が根本的に変化することになり、文字が理解できなくなる。図４においては最下行の走査ラインの故障により「Ｅ」の最下行の横線がすべて点灯しなくなった結果、「Ｆ」に誤って読まれてしまうおそれが生じる。
【００４１】
一方、図１のＬＥＤディスプレイ装置ではＹ8ラインはその上のＹ7ラインと千鳥状に交差するようにＬＥＤを接続するようにしてあるため、最下行にあるＬＥＤの半分についてはＹ7ラインに接続されることになる。したがって図５に見られるように最下行のＬＥＤは１つおきに点灯するようになる。したがって、点灯中のＬＥＤによりこの文字は「Ｆ」ではなく「Ｅ」であると類推することができる。
【００４２】
この場合、下から２行目についても１つおきに点灯できないＬＥＤが発生することになるので、下から２行目に横線が引かれる文字等の場合にも同様の不灯部分が発生することになるが、その場合も一部のＬＥＤが点灯するので文字を類推することができ、情報内容を伝達することが可能になる。
【００４３】
またＹ8ラインが故障した場合には、エンコーダ１８のＹ8ラインが接続されるｄ8端子には走査信号が伝達されないことになる。コンパレータ２０は、エンコーダ１８からの出力データとデコーダ１６の入力データとを比較することにより両者の値が異なることを検出することになる。
したがって、コンパレータ２０の出力信号を図示しないアラーム機構等に送るようにして、表示の異常を知らせることができる。
【００４４】
図２は本発明の他の実施例であるＬＥＤディスプレイ装置の構成を示すブロック構成図である。
図において図１と同じものは同符号を付すことにより説明を省略する。
この実施例におけるディスプレイ本体３０は、図１のものとは逆に走査側ドライブ回路１４に接続される走査ライン（Ｙ1、Ｙ2、・・・・、Ｙn）が直線的にＬＥＤと接続されるようにしてあり、点灯データライン（Ｘ1、Ｘ2、・・・・、Ｘn）が千鳥状に交差するようにＬＥＤと接続されるようにしてある。
【００４５】
この場合は、点灯データラインの１本が故障したときに一列（縦線）がすべて点灯できなくなることを避けることができるようになり、同様の効果が期待できる。
【００４６】
なお、走査ライン側と点灯データ側ラインとをともに千鳥状に接続し、縦線と横線との双方で同様の効果を発揮するようにしてもよいことは言うまでもない。
【００４７】
また、上記実施例では列方向に点灯データを送り、行方向に走査するようにしたが、列方向に走査し、行方向に点灯データを送るようにしてもよい。
【００４８】
また、上記実施例ではＬＥＤの色については特に意識しておらず、すべて同じ色のＬＥＤであるとして説明したが、２色以上の色のＬＥＤを使用するＬＥＤディスプレイ装置であってもよい。
【００４９】
図６は赤と緑の２色のＬＥＤを用いたＬＥＤディスプレイ装置の駆動回路の構成を示すブロック構成図である。図において図１と同じものは同符号を付すことにより説明を省略する。
【００５０】
赤と緑との２色の色を表示するＬＥＤディスプレイ本体４０は、赤のＬＥＤ（Ｌ11a〜Ｌnna）と緑のＬＥＤ（Ｌ11b〜Ｌnnb）の組がマトリクス状に配置される。即ち、図１のＬ11をＬ11aとＬ11bとの組に置き換え、他のＬ12〜Ｌnnも同様に置き換えたような配置のマトリクスが形成される。
【００５１】
赤と緑それぞれの色ごとに点灯データを与える必要があるので、赤用の点灯データドライブ回路４２と緑用の点灯データドライブ回路４４が別々に設けられ、点灯データドライブ回路４２からは赤の点灯データがＸ1ラインからＸnラインにより赤のＬＥＤ（Ｌ11a〜Ｌnna）に与えられる。同様に点灯データドライブ回路４４からは緑の点灯データがＺ1ラインからＺnラインにより緑のＬＥＤ（Ｌ11b〜Ｌnnb）に与えられる。
【００５２】
走査側ドライブ回路１４は、赤緑共用にして回路数や配線数を減らすようにする。これにより部品点数を減らし、製造コストを抑えるようにするとともに小型化を図ることができる。
【００５３】
【発明の効果】
以上説明したように、本発明によればディスプレイ本体の走査ライン又は点灯データラインを少なくとも２本ずつ組にして千鳥状に交差するようにＬＥＤを接続したので、万一故障が生じても一列又は一行すべてのＬＥＤが不灯になることを避けることができるようになり、一部のＬＥＤの点灯により文字等を類推させることが可能になり、情報内容を伝達することができる。
【００５４】
また、故障を検出する回路を取り付け、故障信号を出すようにすることで、故障の発生を知ることが容易になる。
【図面の簡単な説明】
【図１】本発明の一実施例であるＬＥＤディスプレイ装置の構成を示すブロック構成図。
【図２】本発明の一実施例であるＬＥＤディスプレイ装置の構成を示すブロック構成図。
【図３】ＬＥＤディスプレイ装置が正常なときの表示状態を説明する図。
【図４】従来装置での故障時の表示状態を説明する図。
【図５】図１のＬＥＤディスプレイ装置での故障時の表示状態を説明する図。
【図６】本発明の一実施例であるＬＥＤディスプレイ装置の構成を示すブロック構成図。
【図７】従来からのＬＥＤディスプレイ装置の構成を示すブロック構成図。
【図８】ＬＥＤディスプレイ装置のＬＥＤマトリクスを説明する図。
【符号の説明】
１０：ディスプレイ本体
１２：点灯データドライブ回路（Ｘラインドライブ回路）
１４：走査側ドライブ回路（Ｙラインドライブ回路）
１６：デコーダ
１８：エンコーダ
２０：コンパレータ
３０：ディスプレイ本体
４０：ディスプレイ本体
４２：点灯データドライブ回路（赤用）
４４：点灯データドライブ回路（緑用）
Ｌ11〜Ｌnn：ＬＥＤ
Ｘ1〜Ｘn：点灯データライン
Ｙ1〜Ｙn：走査ライン
ａ1〜ａn：点灯データドライブ回路出力端子
ｂ1〜ｂn：走査側ドライブ回路出力端子
ｃ1〜ｃn：デコーダ出力端子
ｄ1〜ｄn：エンコーダ入力端子
ｅ1〜ｅn：点灯データドライブ回路出力端子
【図１】
0003764868.tif 000002
【図２】
0003764868.tif 000003
【図３】
0003764868.tif 000004
【図４】
0003764868.tif 000005
【図５】
0003764868.tif 000006
【図６】
0003764868.tif 000007
【図７】
0003764868.tif 000008
【図８】
0003764868.tif 000009